(57)【要約】【課題】ミクロトーム刀のホルダ装置に対する取り付け位置の調整を容易にでき、又、ミクロトーム刀Ｈの刃先に物を当てて調整する必要がないミクロトーム刀及びミクロトーム刀のホルダ装置を提供する。【解決手段】ミクロトーム刀Ｈをホルダ装置Ｓの保持具本体１００に対して位置調整を行う場合、ミクロトーム刀Ｈの側端部に設けた貫通孔Ｈａに治具を貫通した状態で、調整する。例えば、ミクロトーム刀Ｈを押さえ板２００と保持具本体１００の間に配置した状態で、押さえ板２００から突出したミクロトーム刀Ｈの側端部の貫通孔Ｈａに治具を係入する。そして、長手方向において、押さえ板２００から離間する方向又は押さえ板へ向かう方向に保持具本体１００に設けた調整用溝１４０にガイドされて移動することにより、ミクロトーム刀Ｈの位置調整を行う。【選択図】        図５
2005156321.tif 000002
【特許請求の範囲】
【請求項１】
刃体の長手方向における両側端部のうち、少なくとも一側端部に貫通形成された係合部を備えていることを特徴とするミクロトーム刀。
【請求項２】
保持具本体と、押さえ板にてミクロトーム刀を挟圧して取り付けするミクロトーム刀のホルダ装置において、
前記保持具本体のミクロトーム刀載置面に対して、保持具本体の長手方向に沿って延びる調整用溝が形成されていることを特徴とするミクロトーム刀のホルダ装置。
【請求項３】
前記保持具本体にはミクロトーム刀の基端面を当接可能な内側面を備えた刃体当接用溝が設けられており、
前記調整用溝は、前記刃体当接用溝と平行に配置されていることを特徴とする請求項２に記載のミクロトーム刀のホルダ装置。
【請求項４】
前記ミクロトーム刀載置面には、調整用溝に連結されるとともに、保持具本体の先端に開口する連通溝が連結されていることを特徴とする請求項２又は請求項３に記載のミクロトーム刀のホルダ装置。
【発明の詳細な説明】
【技術分野】
【０００１】
本発明は、ミクロトーム刀及びミクロトーム刀のホルダ装置に関する。
【背景技術】
【０００２】
従来のミクロトーム刀のホルダ装置について説明する。図３に示すようにホルダ装置は、断面三角形をなす楔形の保持具本体１０と、押さえ板２０とから構成されている。保持具本体１０の略中央部には、長手方向に直線状の溝１１が形成されており、同溝１１と平行となるように、保持具本体１０の先端側には溝１２が形成されている。又、溝１１と溝１２との間には、複数個のネジ孔１３が互いに所定間隔をおいて形成されている（図３においては、１個のみ図示）。又、保持具本体１０の先端１０ａから溝１２にかけての上面は、ミクロトーム刀Ｈの厚さａに対応する分まで、切削又は、研磨されて平滑な載置面１４が形成されている。又、溝１２の内側面１２ａは、ミクロトーム刀の基端面が均一に当接可能に形成されている。
【０００３】
押さえ板２０の基端部下面には、溝１１に対応して突条２１が突設されている。突条２１は溝１１に対して摺動自在に嵌合されている。押さえ板２０には、保持具本体１０のネジ孔１３に対応して係止段付きのビス孔２２が複数個形成されている（図３においては、１個の図示）。そして、各ビス孔２２にビス３０を貫通してネジ孔１３に対し螺合することにより、押さえ板２０は、保持具本体１０に対して締め付け固定される。そして、保持具本体１０に対して取り付けされた押さえ板２０の先端下面と、保持具本体１０の先端１０ａ上面間にミクロトーム刀Ｈが挟着される。上記のような構成のものは、例えば特許文献１に開示されている。
【０００４】
上記のようなホルダ装置に対してミクロトーム刀Ｈを取り付けする場合、押さえ板２０と、ミクロトーム刀Ｈとの相対位置を適切に揃える必要がある。例えば、ミクロトーム刀Ｈの基端面全体を溝１２の内側面１２ａに対して当接させた状態で、押さえ板２０と保持具本体１０との間にミクロトーム刀Ｈを挟み込む場合、ミクロトーム刀Ｈの略全体に対し押さえ板２０により押さえることができる適正な相対位置が必要である。仮に、押さえ板２０から、長手方向にミクロトーム刀Ｈが突出していると、ミクロトーム刀Ｈの略全体を押さえ板２０にて挟圧することができず、試料の切削に好ましからぬ影響が出る虞があるからである。なお、長手方向は、図３においては、紙面と直交する方向である。ミクロトーム刀Ｈには、押さえ板２０よりも長手方向の長さを長くして形成されたものがあり、このミクロトーム刀Ｈは、押さえ板２０から長手方向に突出した側端部を備えている。
【特許文献１】特開昭５４−７９０９８号公報
【発明の開示】
【発明が解決しようとする課題】
【０００５】
従来は、上記のようなミクロトーム刀Ｈのホルダ装置に対して取り付け位置を調整する場合、押さえ板２０から長手方向に突出した側端部に対して、ペンや治具等を当てて、押さえ板２０に対する長手方向に突出する量を調整するようにしている。しかし、従来は、押さえ板２０に対するミクロトーム刀Ｈの長手方向に突出する突出量を適正にするには、突出した側の側端部を押すだけであり、押しすぎて、反対側の側端部が押さえ板２０からの突出量が大き過ぎた場合には、今度は、反対側の側端部から、押さえ板２０側に押圧して調整する必要があり、調整が難しい問題があった。
【０００６】
又、ミクロトーム刀Ｈの基端面全体を溝１２の内側面１２ａに当接させた場合、押さえ板２０の先端部からのミクロトーム刀Ｈの刃先の突出量が適正な量となるように、ミクロトーム刀Ｈの基端と先端（刃先側の端部）間の長さ（長手方向に対して直交する方向の長さ）が設定されている（図３参照）。
【０００７】
従って、ミクロトーム刀Ｈの基端面全体を溝１２の内側面１２ａに当接させていない場合、押さえ板２０の先端部からミクロトーム刀Ｈの刃先の突出量が適正でなくなり、突出量が大きくなったり、ミクロトーム刀Ｈの刃先が、押さえ板２０から均等に突出しなくなって傾いたりし、この結果、試料の切断に悪影響を与えることになる。このような状態の場合、ミクロトーム刀Ｈの刃先に対してペンや治具等を当てて、ミクロトーム刀Ｈの基端面全体を溝１２の内側面１２ａに当接させる。この場合、ミクロトーム刀Ｈの刃先に物を当てることになるため、刃先が損傷する可能性があり、好ましくない。
【０００８】
本発明の目的は、ミクロトーム刀のホルダ装置に対する取り付け位置の調整を容易にでき、又、ミクロトーム刀Ｈの刃先に物を当てて調整する必要がないミクロトーム刀及びミクロトーム刀のホルダ装置を提供することにある。
【課題を解決するための手段】
【０００９】
上記問題点を解決するために、請求項１に記載の発明は、刃体の長手方向における両側端部のうち、少なくとも一側端部に貫通形成された係合部を備えていることを特徴とするミクロトーム刀を要旨とするものである。
【００１０】
請求項１の発明によれば、ミクロトーム刀をホルダ装置の保持具本体に対して位置調整を行う場合、刃体の少なくとも一側端部に設けられた係合部にペンや治具等（以下、単に治具等という）を貫通した状態で、調整する。例えば、ミクロトーム刀を押さえ板と保持具本体の間に配置した状態で、押さえ板から突出した一側又は両側端部の係合部に治具等を係入し、長手方向において、押さえ板から離間する方向又は押さえ板へ向かう方向に移動することにより、ミクロトーム刀の位置調整が容易に行われる。
【００１１】
又、ミクロトーム刀が押さえ板の先端から必要以上に突出した場合、ミクロトーム刀を押さえ板と保持具本体の間に配置した状態で、押さえ板から突出した一側又は両側端部の係合部に治具等を係入し、押さえ板の基端部側へ治具等を移動させることにより、ミクロトーム刀の押さえ板の先端からの突出量を適正に調整することが容易に行われる。
【００１２】
請求項２の発明は、保持具本体と、押さえ板にてミクロトーム刀を挟圧して取り付けするミクロトーム刀のホルダ装置において、前記保持具本体のミクロトーム刀載置面に対して、保持具本体の長手方向に沿って延びる調整用溝が形成されていることを特徴とするミクロトーム刀のホルダ装置を要旨とするものである。
【００１３】
前記調整用溝は、ミクロトーム刀をミクロトーム刀載置面に載置した際に、同ミクロトーム刀の側端部に貫通された係合部が同調整用溝と相対可能にされていることが望ましい。又、調整用溝は、保持具本体に対して長手方向に亘って全体に設ける必要はない。少なくとも、保持具本体に取り付けた押さえ板から長手方向に沿って突出したミクロトーム刀の側端部を移動操作できる部位に設ければよい。
【００１４】
請求項２の発明によれば、ミクロトーム刀をホルダ装置の保持具本体に対して位置調整を行う場合、刃体の側端部に設けられた係合部に治具等を貫通した状態で、調整する。例えば、ミクロトーム刀を押さえ板と保持具本体の間に配置した状態で、押さえ板から突出した一側又は両側端部の係合部に治具等を貫通させた状態で、貫通させた治具等の先端を位置決め用調整溝に係入する。この調整用溝に治具等の先端を係入した状態で、保持具本体の長手方向において、押さえ板から離間する方向又は押さえ板へ向かう方向に移動すると、調整用溝に係入された治具等の先端は同溝にガイドされることにより、ミクロトーム刀の位置調整が容易に行われる。
【００１５】
請求項３の発明は、請求項２において、前記保持具本体にはミクロトーム刀の基端面を当接可能な内側面を備えた刃体当接用溝が設けられており、前記調整用溝は、前記刃体当接用溝と平行に配置されていることを特徴とする。
【００１６】
請求項３の発明によれば、ミクロトーム刀の基端面全体を刃体当接用溝の内側面に当接した状態で、位置調整を行うことにより、請求項４の作用が実現される。
請求項４の発明は、請求項２又は請求項３において、前記ミクロトーム刀載置面には、調整用溝に連結されるとともに、保持具本体の先端に開口する連通溝が連結されていることを特徴とする。
【００１７】
請求項４の発明によれば、ミクロトーム刀を押さえ板と保持具本体の間に配置した状態で、押さえ板から突出した一側又は両側端部の係合部に治具等を貫通させた状態で、貫通させた治具等の先端を位置決め用調整溝に係入する。この調整用溝に治具等の先端を係入した状態で、保持具本体の長手方向に対する直交方向であって押さえ板から離間する方向に治具等を移動すると、調整用溝から連通溝を介して治具等の先端が移動する。このとき、治具等の先端は連通溝にガイドされることにより、ミクロトーム刀の保持具本体からの離脱を容易に行う。
【発明の効果】
【００１８】
請求項１の発明によれば、ミクロトーム刀のホルダ装置に対する取り付け位置の調整を容易にでき、又、ミクロトーム刀Ｈの刃先に物を当てて調整する必要がなく、刃先を痛めない効果を奏する。
【００１９】
請求項２の発明によれば、ミクロトーム刀の係合部を介して調整用溝に係入された治具等の先端は、調整移動時に同溝にガイドされることにより、ミクロトーム刀の位置調を容易に行うことができる。
【００２０】
請求項３の発明によれば、ミクロトーム刀の基端面全体を刃体当接用溝の内側面に当接した状態で、位置調整を行うことにより、請求項２の作用を実現できる。
請求項４の発明によれば、調整用溝に治具等の先端を係入した状態で、保持具本体の長手方向に対する直交方向であって押さえ板から離間する方向に治具等を移動するとき、治具等の先端が連通溝にガイドされることにより、ミクロトーム刀の保持具本体からの離脱を容易に行うことができる。
【発明を実施するための最良の形態】
【００２１】
（第１実施形態）
以下、本発明を具体化した、ミクロトーム刀及びミクロトーム刀のホルダ装置の一実施形態を図１、図２、図４〜図６を参照して説明する。図１はミクロトーム刀のホルダ装置の斜視図、図２は同じく要部拡大図、図４は第１実施形態のホルダ装置の断面図、図５は同じくホルダ装置の要部平面図、図６は同じくミクロトーム刀をホルダ装置から分離した状態の要部平面図である。
【００２２】
図１、図４に示すようにホルダ装置Ｓは、断面三角形をなす楔形の保持具本体１００と、押さえ板２００とから構成されている。保持具本体１００の略中央部には、長手方向に直線状の溝１１０が形成されており、同溝１１０と平行となるように、保持具本体１００の先端部１３０側には、刃体当接用溝としての溝１２０が形成されている。溝１２０において、溝１１０側の内側面１２０ａは、ミクロトーム刀の基端面が均一に当接可能に形成されている。又、溝１１０と溝１２０との間には、複数個のネジ孔１１３が互いに所定間隔をおいて、長手方向に向けて並ぶように設けられている（図４においては、１個のみ図示）。又、保持具本体１００の先端部１３０において、溝１２０からさらに先端側にかけての上面は、ミクロトーム刀Ｈの厚さａに対応する分まで、切削又は、研磨されて平滑なミクロトーム刀載置面１１４が形成されている。
【００２３】
押さえ板２００の基端部下面には、溝１１０に対応して突条２１０が突設されている。突条２１０は溝１１０に対して摺動自在に嵌合されている。押さえ板２００の中央から先端部は、上面が所定の角度で傾斜させた押圧部２３０が形成されている。押さえ板２００の突条２１０を溝１１０に嵌合させたとき、保持具本体１００の先端部１３０と押圧部２３０の先端が平行に揃うように押さえ板２００の先端下面は形成されている。
【００２４】
押さえ板２００には、保持具本体１００のネジ孔１１３に対応して複数（本実施形態では、３個）の係止段付きのビス孔２２０が形成されている。そして、ビス３００を各ビス孔２２０に貫通してネジ孔１１３に対して着脱自在に螺合することにより、押さえ板２００は、保持具本体１００に対して着脱自在に締め付け固定される。そして、保持具本体１００に対して取り付けされた押さえ板２００の先端下面と、保持具本体１００の先端上面間にミクロトーム刀Ｈが挟着される。又、保持具本体１００の先端部１３０において、溝１２０よりもさらに先端側のミクロトーム刀載置面１１４には、調整用溝１４０が形成されている。調整用溝１４０は保持具本体１００の長手方向に沿って延びるように、かつ、溝１２０と平行に設けられている。調整用溝１４０は断面チャンネル状に形成され、平らな底面を有する。
【００２５】
図２に示すようにミクロトーム刀載置面１１４には、調整用溝１４０に対して直交するように複数（本実施形態では４個）の連通溝１５０が形成されている。連通溝１５０は断面チャンネル状に形成され、平らな底面を有する。なお、図１では、連通溝１５０は、３個図示されており、残りの１個は、押さえ板２００に隠れており図示されていない。連通溝１５０は一端が調整用溝１４０に連通されるとともに、他端が先端部１３０の先端縁において開口されている。連通溝１５０の底部の深さは、調整用溝１４０の底部の深さよりも若干深く形成され、その深さと同じ深さを備えた延長底面１５０ａが、調整用溝１４０の底面１４０ａに対して段部を形成するように設けられている（図２参照）。なお、連通溝１５０の底部の深さは、調整用溝１４０の底部の深さと同じにしてもよい。
【００２６】
ミクロトーム刀Ｈは、図６に示すように刃体として全体が長方形状に形成されている。ミクロトーム刀Ｈの基端から先端縁（刃先）迄の短手方向長さは、押さえ板２００の押圧部２３０の短手方向長さよりも若干長く形成されている。又、ミクロトーム刀Ｈの長手方向長さは、押さえ板２００の長手方向長さよりも長く形成されている。この結果、ミクロトーム刀Ｈを押さえ板２００と保持具本体１００との挟み込むようにして適正位置に配置した場合、図５に示すように押さえ板２００の長手方向の両側端部から、ミクロトーム刀Ｈの両側端部が突出配置されるとともに、刃先が押さえ板２００の押圧部２３０先端から突出される。なお、ここで適正位置とは、ミクロトーム刀Ｈが、押さえ板２００の両側端部から突出する突出量がほぼそれぞれ同じ量であり、かつ、ミクロトーム刀Ｈの基端面全体が溝１２０の内側面１２０ａに対して当接されたときの位置である。
【００２７】
そして、前記のようにミクロトーム刀Ｈが適正位置に配置された状態で、押さえ板２００から突出する両側端部には、係合部としての貫通孔Ｈａが一対形成されている。本実施形態では、貫通孔Ｈａは、ミクロトーム刀Ｈの長手方向に延びた長孔とされている。各貫通孔Ｈａは、ミクロトーム刀Ｈが適正位置に配置された状態では、調整用溝１４０の底面である延長底面１５０ａとそれぞれ相対するように配置されている。又、各貫通孔Ｈａの互いに対向する内端間の距離Ｌは、押さえ板２００の長手方向長さと同一とされている。なお、各貫通孔Ｈａの互いに対向する内端間の距離Ｌは、押さえ板２００の長手方向長さと同一に限定するものではなく、少なくとも同一であればよい。
【００２８】
なお、ホルダ装置Ｓは、図１３に示すように、回転式ミクロトームＭや、滑走式ミクロトーム（図示しない）と共用可能に、保持具本体１００のネジ孔１１３は、ビス３００よりも１個多く１ピッチずらした位置にも穿設されている。この構成によって、保持具本体１００に押さえ板２００をビス３００てに取り付ける際、図１３に示す回転式ミクロトームＭでは、保持具本体１００に設けた図１、図２に示す最左端のネジ孔１１３を使用せずに、押さえ板２００が取り付けられるようにされている。又、滑走式ミクロトーム（図示しない）の場合には、図１に示すように最左端のネジ孔１１３を使用し、最右端のネジ孔１１３を使用しないようにされている。
【００２９】
そして、４個の連通溝１５０のうち、互いに２ピッチ隔てた一対を一組としたとき、２組の連通溝１５０が構成されている。各組を構成する一対の連通溝１５０は、上記いずれかのミクロトームに対して、ホルダ装置Ｓを使用する場合に、押さえ板２００の長手方向の両側に位置するように配置されている。具体的には、滑走式ミクロトームで使用する図１に示す例では、押さえ板２００の左側に位置する左端の連通溝１５０と、押さえ板２００の右側に位置する連通溝１５０とが図示されており、この一対の連通溝１５０が、１組を構成する。又、回転式ミクロトームＭで使用する場合は、図１の押さえ板２００の左右端に位置していない残りの一対の連通溝１５０が１組を構成する。すなわち、回転式ミクロトームＭで使用する場合は、図１では隠れている連通溝１５０が押さえ板２００の左端に位置し、押さえ板２００の右端に図１で示す最右端の連通溝１５０が位置する。
【００３０】
さて、上記のように構成されたミクロトーム刀Ｈとホルダ装置Ｓの作用を説明する。ここでは、滑走式ミクロトームで使用する場合のミクロトーム刀Ｈのホルダ装置Ｓに対する取り付けについて説明する。
【００３１】
先ず、押さえ板２００の突条２１０を溝１１０に対して嵌合させた状態で、押さえ板２００を保持具本体１００に対してビス３００にて軽くビス止めした状態にする。この状態では、押さえ板２００の押圧部２３０と保持具本体１００のミクロトーム刀載置面１１４との間には、ミクロトーム刀Ｈの厚さａに対応する分離間している。そして、ミクロトーム刀Ｈの基端面全体を溝１２０の内側面１２０ａに対して当接させた状態で、押さえ板２００と保持具本体１００との間に、ミクロトーム刀Ｈを図１の左方から右方へスライドして挟み込む。
【００３２】
この後、押さえ板２００から突出したミクロトーム刀Ｈの一方の側端部、或いは両側端部の貫通孔Ｈａに対して、治具（図示しない）の先端を貫通させ、同先端を調整用溝１４０内に係入する。そして、貫通孔Ｈａに貫通させた治具を調整用溝１４０にてガイドさせながら、治具が押さえ板２０の長手方向の端部に当接するまで移動する。この治具の移動により、治具が貫通孔Ｈａの内端に当接しているため、ミクロトーム刀Ｈは、治具に押圧されて適正位置に配置される（図５参照）。又、本実施形態では、調整用溝１４０に延長底面１５０ａが設けられ、延長底面１５０ａは、調整用溝１４０の他の底面よりも深くなっているため、底面に当接しながら移動する治具には適正位置にミクロトーム刀Ｈを配置したとき、治具にクリック感を付与する。この後、ビス３００を保持具本体１００に対してきつく締め付けることにより、ミクロトーム刀Ｈは、保持具本体１００と押さえ板２００とにより、挟圧されて取り付けされる。
【００３３】
一方、ミクロトーム刀Ｈをホルダ装置Ｓから取り外す場合、ビス３００の保持具本体１００に対する螺合を緩め、治具を貫通孔Ｈａに貫通させた状態で、図５において、ミクロトーム刀Ｈの刃先側へ移動する。すると、図示しない治具は、連通溝１５０の内側面にガイドされる。この治具の移動操作により、ミクロトーム刀Ｈは、治具に押圧されて治具とともに移動され、ホルダ装置Ｓから取り外される。なお、貫通孔Ｈａに対する治具の操作は、片方の貫通孔Ｈａに対してだけでもよく、或いは、両端の貫通孔Ｈａに対してそれぞれ治具を貫通させてもよい。なお、治具は、ペン等のように貫通孔Ｈａに対して貫通できるものであればよく、ピン状のものや、二股状の先端に一対のピンを形成し、両ピンを各貫通孔Ｈａに貫通させるタイプの物でもよい。
【００３４】
なお、上記のミクロトーム刀Ｈの取り付け方は一例であり、上記例に限定されるものではなく、要は貫通孔Ｈａに治具等を貫通させて、調整用溝１４０にて治具がガイドされて移動してミクロトーム刀Ｈを移動操作する方法であればよい。
【００３５】
又、ミクロトーム刀Ｈが押さえ板２００の先端から必要以上に突出した場合、ミクロトーム刀Ｈを押さえ板２００と保持具本体１００の間に配置した状態で、押さえ板２００から突出した一側又は両側端部の貫通孔Ｈａに治具を係入する。そして、ミクロトーム刀Ｈの基端面全体を溝１２０の内側面１２０ａに当接するまで、押さえ板２００の基端部側へ治具等を移動させる。この結果、ミクロトーム刀Ｈの押さえ板２００の先端からの突出量を適正に調整することが容易に行われる。
【００３６】
第１実施形態は請求項１乃至請求項３の作用効果の他、下記の特有の効果を奏する。
（１）  本実施形態では、連通溝１５０の底部の深さは、調整用溝１４０の底部の深さよりも若干深く形成し、その深さと同じ深さを備えた延長底面１５０ａが、調整用溝１４０の底面１４０ａに対して段部を形成するように設けた。この結果、調整用溝１４０に延長底面１５０ａが設けられ、延長底面１５０ａは、調整用溝１４０の他の底面１４０ａよりも深くなっているため、底面１４０ａに当接しながら移動する治具には適正位置にミクロトーム刀Ｈを配置したとき、治具にクリック感を付与することができる。このことにより、オペレータに、ミクロトーム刀Ｈの適正位置を知らせることができる。
【００３７】
（第２実施形態）
次に、第２実施形態を図７及び図８を参照して説明する。なお、第１実施形態と同一構成については、同一符号を付してその説明を省略し、異なるところを中心にして説明する。図７は第２実施形態のホルダ装置の要部平面図、図８はミクロトーム刀をホルダ装置から分離した状態の要部平面図である。
【００３８】
第２実施形態では、連通溝１５０，延長底面１５０ａは省略され、押さえ板２００の形状が一部異なっている。具体的には、図７に示すように、押圧部２３０の長手方向の両側端部には第１実施形態よりも延出された延出部２５０が形成されている。延出部２５０は、図７に示すように、調整用溝１４０よりも先端側のミクロトーム刀載置面１１４に相対して配置される。この結果、延出部２５０は適正位置に配置されたミクロトーム刀Ｈの貫通孔Ｈａを覆うことはなく、貫通孔Ｈａに係入された治具を長手方向にガイド可能に配置されている。このように構成することにより、治具を貫通孔Ｈａに貫通させた状態で移動操作し、押さえ板２００に治具が近接したとき、同治具を延出部２５０にてガイドすることができる。
【００３９】
なお、本発明の実施形態は、前記実施形態に限定されるものではなく、下記のように変更してもよい。
（１）第２実施形態の構成中、図９及び図１０に示すように、押さえ板２００の長手方向の両側端部において、溝１２０と、調整用溝１４０と対応する部分を除いた部分を、第１実施形態の長手方向の両側端部よりも延出形成して、延出部３５０，３６０を形成する。そして、延出部３５０，３６０間には、断面半円弧状のガイド凹部３７０を形成する。このようにしても、第２実施形態と同様の効果を奏する。
【００４０】
（２）前記各実施形態では係合部として貫通孔Ｈａとしたが、係合部は、ミクロトーム刀Ｈの側端部に対して設けた凹部としてもよい。凹部は、ミクロトーム刀Ｈの基端面から切り込みしても良く、或いは、側端部端面から切り込みしてもよい。要は、係合部はミクロトーム刀Ｈの厚さ方向に治具等を貫通させて、治具がミクロトーム刀Ｈに対して係合できるものであればよい。
【００４１】
例えば、図１１及び図１２に示すようにミクロトーム刀Ｈの側端部において、基端面からＬ字状に切り込み形成した凹部Ｈｂを係合部としてもよい。この場合、凹部Ｈｂは、ミクロトーム刀Ｈの短手方向に延び、基端面にて開口する第１切り込み部と、同切り込み部の奥部において、第１切り込み部と直交してミクロトーム刀Ｈの長手方向に延びる第２切り込み部とから構成されている。第１切り込み部におけるミクロトーム刀Ｈの短手方向の長さは、第２切り込み部におけるミクロトーム刀Ｈの短手方向の長さよりも長くされている。
【００４２】
そして、図１１に示すように、両第１切り込み部間の距離Ｌは、押さえ板２００の長手方向長さと同一とされ、ミクロトーム刀Ｈが、適正位置に配置されたときは、押さえ板２００に覆われないようされている。この構成により、治具の先端が、第１切り込み部を介して第２切り込み部に対し係入係脱可能にされている。この構成によって、ミクロトーム刀Ｈの調整時にミクロトーム刀Ｈの基端面が、溝１２０の内側面１２０ａから離間しているときには、第１切り込み部の開口から治具の先端を第１切り込み部に係入し、さらに第２切り込み部に係入することができる。このことによって、ミクロトーム刀Ｈの調整時に、ミクロトーム刀Ｈの厚さ方向に治具の先端を係入する以外に、治具の先端の係入ができるようにされている。
【００４３】
又、図１１の状態でミクロトーム刀Ｈをホルダ装置Ｓから取り外す場合、治具の先端を押さえ板２００の側端面に一旦当接して、第１切り込み部に係入する。この場合、第１切り込み部のミクロトーム刀Ｈの短手方向の長さが第２切り込み部よりも長いため、第２切り込み部に直接係入する場合に比して、係入がしやすい。この後、治具の先端を第２切り込み部に係入して、ミクロトーム刀Ｈの刃先側へ移動する。この治具の移動操作により、ミクロトーム刀Ｈは、治具に押圧されて治具とともに移動され、ホルダ装置Ｓから取り外される。なお、凹部Ｈｂに対する治具の操作は、ミクロトーム刀Ｈの片方又は両方の凹部Ｈｂのいずれでもよい。
【００４４】
（３）前記各実施形態では、貫通孔Ｈａや凹部Ｈｂをミクロトーム刀Ｈの長手方向の両側端部に設けたが、いずれか一方の側端部に設けてもよい。又、貫通孔Ｈａは長孔でなくてもよく、円孔や、楕円孔や、四角形孔でもよく、形状に限定するものではない。
【００４５】
（４）前記各実施形態では、調整用溝１４０は、溝１２０に対して分離して設けたが、溝１２０の溝幅を広げて溝１２０を調整用溝１４０として兼用するようにしてもよい。具体的には、第１実施形態の溝１２０の溝幅を調整用溝１４０が設けられているところまで溝幅を広げて、底面を同じ深さにする。或いは、第１実施形態の溝１２０の溝幅を調整用溝１４０が設けられているところまで溝幅を広げて、調整用溝１４０と対応する底面は、溝１２０の底面の深さよりも深い底面にして段差を設けるようにする。
【図面の簡単な説明】
【００４６】
【図１】第１実施形態のミクロトーム刀のホルダ装置の斜視図。
【図２】同じく要部拡大図。
【図３】従来のホルダ装置の断面図。
【図４】第１実施形態のホルダ装置の断面図。
【図５】同じくホルダ装置の要部平面図。
【図６】同じくミクロトーム刀をホルダ装置から分離した状態の要部平面図。
【図７】第２実施形態のホルダ装置の要部平面図。
【図８】同じくミクロトーム刀をホルダ装置から分離した状態の要部平面図。
【図９】第３実施形態のホルダ装置の要部平面図。
【図１０】同じくミクロトーム刀をホルダ装置から分離した状態の要部平面図。
【図１１】他の実施形態のホルダ装置の要部平面図。
【図１２】同じくミクロトーム刀をホルダ装置から分離した状態の要部平面図。
【図１３】ホルダ装置の使用例を示す斜視図。
【符号の説明】
【００４７】
Ｓ…ホルダ装置
Ｈ…ミクロトーム刀
Ｈａ…貫通孔（係合部）
Ｈｂ…凹部（係合部）
１００…保持具本体
１１４…ミクロトーム刀載置面
１２０…溝（刃体当接用溝）
１４０…調整用溝
１５０…連通溝
１５０ａ…延長底面
２００…押さえ板
【図１】
2005156321.tif 000003
【図２】
2005156321.tif 000004
【図３】
2005156321.tif 000005
【図４】
2005156321.tif 000006
【図５】
2005156321.tif 000007
【図６】
2005156321.tif 000008
【図７】
2005156321.tif 000009
【図８】
2005156321.tif 000010
【図９】
2005156321.tif 000011
【図１０】
2005156321.tif 000012
【図１１】
2005156321.tif 000013
【図１２】
2005156321.tif 000014
【図１３】
2005156321.tif 000015